(57)【要約】【課題】熱交換器において、「霧吹き」等の発生を可及的に防止する。【解決手段】多数枚のフィン８とこれに直交配置された伝熱管９とからなる熱交換器において、フィン８の通風方向上流側の第１領域１１の表面を親水処理面とし、通風方向下流側の第２領域１２の表面を無処理面とする。係る構成によれば、冷房運転時に高温高湿の空気がフィン間の通風路１０に流入すると、第１領域１１では熱交換効率が高いため空気は効率的に冷却され低温の飽和に近い空気とされる一方、通風路１０の中央寄りを流れる空気は比較的高温状態を維持し、これら温度の異なる空気が混合することで霧が発生することになる。一方、第２領域１２では、表面が無処理面で水の接触角が大きいのでドレン水による水膜が比較的厚くなり、これによって該通風路１０が絞られた状態となる。この結果、第１領域１１側で発生した霧は、第２領域１２側の水膜により捕集され、フィン後方側へ吹出される霧の量が減少し、「霧吹き」が可及的に防止される。【選択図】図２
2008241184.tif 000002
【特許請求の範囲】
【請求項１】
所定間隔で順次対向配置された多数枚のフィン（８）と、該各フィン（８）に直交する状態で配置された伝熱管（９）とからなる熱交換器であって、
上記フィン（８）の通風方向上流側の第１領域（１１）の表面を親水処理された親水処理面とし、通風方向下流側の第２領域（１２）の表面を無処理面としたことを特徴とする熱交換器。
【請求項２】
請求項１において、
上記フィン（８）の通風方向における上記第２領域（１２）の範囲を、該フィン（８）の表面温度が低い部位ほど高い部位に比べて広くなるように、又は上記フィン（８）の表面における風速が小さい部位ほど大きい部位に比べて広くなるように、設定したことを特徴とする熱交換器。
【請求項３】
所定間隔で順次対向配置された多数枚のフィン（８）と、該各フィン（８）に直交する状態で配置された伝熱管（９）とからなる熱交換器であって、
上記フィン（８）の通風方向上流側の第１領域（１１）の表面を親水処理された親水処理面とし、通風方向下流側の第２領域（１２）の表面を水の接触角が親水処理面より大きく無処理面と同等またはそれより小さくなるように表面処理された中間処理面としたことを特徴とする熱交換器。
【請求項４】
請求項３において、
上記フィン（８）の通風方向における上記第２領域（１２）の範囲を、該フィン（８）の表面温度が低い部位ほど高い部位に比べて広くなるように、又は上記フィン（８）の表面における風速が小さい部位ほど大きい部位に比べて広くなるように、設定したことを特徴とする熱交換器。
【請求項５】
請求項１，２，３又は４において、
上記伝熱管（９）が、通風方向に一列又は複数列に配置されていることを特徴とする熱交換器。
【発明の詳細な説明】
【技術分野】
【０００１】
本願発明は、空気調和機用室内機等に適用される熱交換器に関するものである。
【背景技術】
【０００２】
空気調和機の室内機では、これに備えられた熱交換器が蒸発器として機能する冷房運転時において、吹出口から霧が吹出される「霧吹き」とか、該吹出口のフラップ部分からの「水落ち」や「水飛び」という問題がある。
【０００３】
ここで、「霧吹き」とは、室内機に備えられた熱交換器において生じるものであって、その発生原因を図１６を参照して説明する。
【０００４】
図１６において、符号２１は所定間隔をもって対向配置されたフィンであり、これら各フィン間には伝熱管（図示省略）が貫通状態で配置され、これらフィン２１と伝熱管でクロスフィン型の熱交換器が構成されている。そして、空気Ａは上記各フィン２１間の通風路２３を、上記フィン２１の前縁２１ａ側から後縁２１ｂ側へ向かって流れ、上記フィン２１及び伝熱管を介して該伝熱管内を流れる冷媒との間で熱交換を行い、上記フィン２１の後縁２１ｂ側から後方へ吹出される。
【０００５】
そして、空気Ａが上記通風路２３内を流れる場合、上記フィン２１に沿って上記通風路２３の両端側を流れる空気Ａ１と、上記通風路２３の中央寄りを流れる空気Ａ２の二つの流れが生じる。上記空気Ａ１は、上記フィン２１との接触によって効果的に冷却され低温とされる。これに対して、上記空気Ａ２は、上記フィン２１との接触が無いことからその冷却作用が低くその温度は上記空気Ａ１に比べて高いものとなっている。そして、これら各空気Ａ１，Ａ２が上記通風路２３内で混合され、フィン後方側へ吹出される。
【０００６】
この場合、特に上記空気が高温高湿空気である場合には、上記空気Ａ１は冷却によって低温で飽和に近い空気となり、上記空気Ａ２は比較的高温高湿な状態を維持している。従って、このような低温で飽和に近い空気Ａ１と比較的高温高湿の空気Ａ２が混合されることで霧が発生するものである。
【０００７】
そして、この霧は、空気Ａとフィン２１の温度差が大きいほど、空気Ａ１と空気Ａ２の温度差が大きくなるため、発生し易い。一方、たとえ空気Ａとフィン２１の温度差が大きくても、上記通風路２３内における風速が大きい場合には、上記空気Ａ１と空気Ａ２はさほど温度差が大きくならずにフィン後方側へ吹出されるため、霧の発生は少ない。従って、熱交換器において霧が発生し易い部位は、温度差の大きい空気が混合されるような部位、及び風速が低い部位であるといえる。
【０００８】
また、「水落ち」とか「水飛び」は、上記通風路２３内で発生した霧が室内機の吹出口部分に設けられたフラップ等において結露することで発生し、その水滴がフラップ等から滴下するのが「水落ち」であり、吹出風に乗って室内側へ飛散されるのが「水飛び」である。
【０００９】
一方、室外機に備えられた熱交換器にて、フィン面において結露した水滴が氷結し、その上に霜が付着して成長するのが着霜である。
【００１０】
このような熱交換器における問題を改善するために、フィン表面の表面処理に着目した技術が種々提案されている（例えば、特許文献１〜４参照）。
【００１１】
特許文献１は、フィン群の霜層による閉塞を遅延させるものであって、フィン間隔を空気の流入側より流出側へ順次、疎から密に配列し、かつ空気流入側のフィン表面を撥水性、他の列のフィン表面を親水性としている。空気の流入側では、フィン間隔が疎であることとフィン表面が撥水性であることで、結露する水滴が大きくなりその氷結から着霜までの時間が長くとれる一方、空気の流出側では、フィン間隔が密であってもそのフィン表面が親水性であることで水は膜状に付着するため、この付着水が氷結して霜が成長しても、着霜による閉塞までの時間を長く取ることができ、これによって霜層による閉塞を遅延させるものである。
【００１２】
特許文献２は、空気上流側のフィン表面を撥水性、下流側のフィン表面を親水性とし、空気上流側の撥水性のフィン表面に付着した水滴を下流側の親水性のフィン表面で捕捉することで、フィンからの「水飛び」を抑制するようにしたものである。
【００１３】
特許文献３は、親水処理又は撥水処理の単独使用の弊害を防止して暖房能力の向上等を図るもので、フィン表面に親水性処理部と撥水処理部を混在させ、その一形態として、親水性処理部は熱交換空気の流出側に、撥水処理部は流入側に、それぞれ形成している。これによって、流入側の撥水処理部で大きな結露水滴とし、これを風速にて流出側へ移動させ、流出側の親水性処理部を伝って流下排出させるものである。
【００１４】
特許文献４は、フィンの風上領域の表面を撥水剤でコーティングし、風下領域を水滴ができにくい親水剤でコーティングすることで、風上側は比較的乾燥状態となり熱交換効率が高く、風下側は濡れた状態になり易いが通風抵抗を低く抑えることができ、これらの相乗効果として、熱交換効率が高く圧損の少ない熱交換器が得られるものである。
【００１５】
【特許文献１】特開昭６３−３１８２号公報
【特許文献２】特開平１０−９７８８号公報
【特許文献３】特開２０００−７４５８８号公報
【特許文献４】特開２００５−１０６３４９号公報。
【発明の開示】
【発明が解決しようとする課題】
【００１６】
しかし、上掲各特許文献は、それぞれ異なった観点から、フィンの表面処理に着目し、一定の効果を得ているものの、ここに提案されたフィンの表面処理に関する技術は、空気調和機の吹出口からの「霧吹き」の防止とか、霧の結露に起因する「水落ち」や「水飛び」の防止の技術としてそのまま適用することができない、あるいは適用してもその効果は微々たるものに止まざるを得ないものである。
【００１７】
そこで本願発明では、熱交換器において、フィンの表面処理技術を、霧の発生抑制のためではなく、発生した霧のフィン後方側への吹出しの抑制に適用することで、「霧吹き」等の発生を可及的に防止することを目的としてなされたものである。
【課題を解決するための手段】
【００１８】
本願発明ではかかる課題を解決するための具体的手段として次のような構成を採用している。
【００１９】
本願の第１の発明では、所定間隔で順次対向配置された多数枚のフィン８と、該各フィン８に直交する状態で配置された伝熱管９とからなる熱交換器において、上記フィン８の通風方向上流側の第１領域１１の表面を親水処理された親水処理面とし、通風方向下流側の第２領域１２の表面を無処理面としたことを特徴としている。
【００２０】
本願の第２の発明では、上記第１の発明に係る熱交換器において、上記フィン８の通風方向における上記第２領域１２の範囲を、該フィン８の表面温度が低い部位ほど高い部位に比べて広くなるように、又は上記フィン８の表面における風速が小さい部位ほど大きい部位に比べて広くなるように、設定したことを特徴としている。
【００２１】
本願の第３の発明では、所定間隔で順次対向配置された多数枚のフィン８と、該各フィン８に直交する状態で配置された伝熱管９とからなる熱交換器において、上記フィン８の通風方向上流側の第１領域１１の表面を親水処理された親水処理面とし、通風方向下流側の第２領域１２の表面を水の接触角が親水処理面より大きく無処理面と同等またはそれより小さくなるように表面処理された中間処理面としたことを特徴としている。
【００２２】
本願の第４の発明では、上記第３の発明に係る熱交換器において、上記フィン８の通風方向における上記第２領域１２の範囲を、該フィン８の表面温度が低い部位ほど高い部位に比べて広くなるように、又は上記フィン８の表面における風速が小さい部位ほど大きい部位に比べて広くなるように、設定したことを特徴としている。
【００２３】
本願の第５の発明では、上記第１、第２、第３又は第４の発明に係る熱交換器において、上記伝熱管９を、通風方向に一列又は複数列に配置したことを特徴としている。
【発明の効果】
【００２４】
本願発明では次のような効果が得られる。
【００２５】
（ａ）本願の第１の発明に係る熱交換器によれば、上記フィン８の通風方向上流側の第１領域１１の表面を親水処理された親水処理面とし、通風方向下流側の第２領域１２の表面を無処理面としているので、例えば、熱交換器６が蒸発器として機能する冷房運転時において、高温高湿の空気がフィン間の通風路１０に流入すると、該フィン８の通風方向上流側の第１領域１１では、その表面が親水処理面であってドレン水による水膜が薄く熱交換効率が高いことから、該第１領域１１側を流れる空気のうち、上記フィン８に沿ってその近傍を流れる空気は該フィン８によって効率的に冷却されて低温の飽和に近い空気とされる一方、上記通風路１０の中央寄り（即ち、上記フィン８から離れた部位）を流れる空気は上記フィン８による冷却作用が小さいことから比較的高温状態を維持しており、従って、これら温度の異なる空気が上記通風路１０内で混合することで上記第１領域１１部分において霧が発生することになる。
【００２６】
一方、上記フィン８の第２領域１２では、その表面が無処理面とされているので水の接触角が大きく、従って、この部分ではドレン水による水膜が比較的厚くなり、この水膜がフィン８の表面から通風路１０の内部側へ膨出し、これによって該通風路１０が絞られた状態となる。
【００２７】
従って、上記フィン８の第１領域１１側において発生し上記第２領域１２側へ流れる霧は、その流れ方向下流側に存在する水膜に接触して捕集され、上記水膜で捕集される分だけ上記第２領域１２側からフィン後方側へ吹出される霧の量が減少し、その結果、空気調和機の吹出口から室内側への「霧吹き」が可及的に防止され、室内居住者に視覚的な不安感を与えることがなく、延いては空気調和機の商品価値が向上することになる。
【００２８】
また、上述のように、熱交換器のフィン後方側へ吹出される霧の量が可及的に減少されることで、霧が吹出口近傍に設けられたフラップ等において結露することが少なくなり、その結果、該吹出口部分からの「水落ち」や「水飛び」も防止される。
【００２９】
さらに、上記第１領域１１を親水性処理面とすることで耐腐食性が向上し、また上記第２領域１２を無処理面とすることでコストダウンが図れ、これらの相乗効果として耐腐食性に優れたフィン８をより安価に提供できる。
【００３０】
（ｂ）本願の第２の発明に係る熱交換器によれば、上記（ａ）に記載の効果に加えて以下のような特有の効果が得られる。即ち、この発明では、上記フィン８の通風方向における上記第２領域１２の範囲を、該フィン８の表面温度が低い部位ほど高い部位に比べて広くなるように、又は上記フィン８の表面における風速が小さい部位ほど大きい部位に比べて広くなるように、設定している。
【００３１】
従って、上記フィン８の通風方向における上記第２領域１２の範囲を、該フィン８の表面温度が低い部位ほど高い部位に比べて広くなるように設定した場合には、既述のように、上記フィン８の表面温度が低い部位ほど霧が発生し易いことから、また上記フィン８の表面における風速が小さい部位ほど大きい部位に比べて広くなるように設定した場合には、既述のように、風速が小さいほど霧が発生し易いことから、これら何れの場合においても、該部位において上記第２領域１２、即ち、無処理面の領域を広げることで、発生量の多い霧を上記第２領域１２側の水膜で効果的に捕集することができ、霧の発生量と霧の捕集量とが対応することになり、「霧吹き」防止効果、さらには「水落ち」や「水飛び」防止効果が、より一層確実となる。
【００３２】
（ｃ）本願の第３の発明に係る熱交換器によれば、上記フィン８の通風方向上流側の第１領域１１の表面を親水処理された親水処理面とし、通風方向下流側の第２領域１２の表面を水の接触角が親水処理面より大きく無処理面と同等またはそれより小さくなるように表面処理された中間処理面としているので、例えば、熱交換器６が蒸発器として機能する冷房運転時において、高温高湿の空気がフィン間の通風路１０に流入すると、該フィン８の通風方向上流側の第１領域１１では、その表面が親水処理面であってドレン水による水膜が薄く熱交換効率が高いことから、該第１領域１１側を流れる空気のうち、上記フィン８に沿ってその近傍を流れる空気は該フィン８によって効率的に冷却されて低温の飽和に近い空気とされる一方、上記通風路１０の中央寄り（即ち、上記フィン８から離れた部位）を流れる空気は上記フィン８による冷却作用が小さいことから比較的高温状態を維持しており、従って、これら温度の異なる空気が上記通風路１０内で混合することで上記第１領域１１部分において霧が発生することになる。
【００３３】
一方、上記フィン８の第２領域１２では、その表面が親水処理面と無処理面の中間の水の接触角をもつ中間処理面とされているので、この部分ではドレン水による水膜が比較的厚くなり、この水膜がフィン８の表面から通風路１０の内部側へ膨出し、これによって該通風路１０が絞られた状態となる。
【００３４】
従って、上記フィン８の第１領域１１側において発生し上記第２領域１２側へ流れる霧は、その流れ方向下流側に存在する水膜に接触して捕集され、上記第２領域１２側からフィン後方側へ吹出される霧の量が可及的に減少し、その結果、空気調和機の吹出口から車室側への「霧吹き」が可及的に防止され、室内居住者に視覚的な不安感を与えることがなく、延いては空気調和機の商品価値が向上することになる。
【００３５】
また、上述のように、熱交換器のフィン後方側へ吹出される霧の量が可及的に減少されることで、霧が吹出口近傍に設けられたフラップ等において結露することが少なくなり、その結果、該吹出口部分からの「水落ち」や「水飛び」も防止される。
【００３６】
さらに、上記第１領域１１を親水性処理面とし、上記第２領域１２を中間処理面とすることでフィン８の耐腐食性が向上する。
【００３７】
（ｄ）本願の第４の発明に係る熱交換器によれば、上記（ｃ）に記載の効果に加えて以下のような特有の効果が得られる。即ち、この発明では、上記フィン８の通風方向における上記第２領域１２の範囲を、該フィン８の表面温度が低い部位ほど高い部位に比べて広くなるように、又は上記フィン８の表面における風速が小さい部位ほど大きい部位に比べて広くなるように、設定しているので、上記フィン８の通風方向における上記第２領域１２の範囲を、該フィン８の表面温度が低い部位ほど高い部位に比べて広くなるように、又は上記フィン８の表面における風速が小さい部位ほど大きい部位に比べて広くなるように、設定している。
【００３８】
従って、上記フィン８の通風方向における上記第２領域１２の範囲を、該フィン８の表面温度が低い部位ほど高い部位に比べて広くなるように設定した場合には、既述のように、上記フィン８の表面温度が低い部位ほど霧が発生し易いことから、また上記フィン８の表面における風速が小さい部位ほど大きい部位に比べて広くなるように設定した場合には、既述のように、風速が小さいほど霧が発生し易いことから、これら何れの場合においても、該部位において上記第２領域１２、即ち、親水処理面と無処理面の中間の水の接触角をもつ中間処理面の領域を広げることで、発生量の多い霧を上記第２領域１２側の水膜で効果的に捕集することができ、霧の発生量と霧の捕集量とが対応することになり、「霧吹き」防止効果、さらには「水落ち」や「水飛び」防止効果が、より一層確実となる。
【００３９】
（ｅ）本願の第５の発明に係る熱交換器によれば、上記伝熱管９を、通風方向に一列又は複数列に配置しているので、伝熱管９を通風方向に一列に配置したものにおいては、例えば、該伝熱管９を中心としてそれより通風方向上流側部分を上記第１領域１１とし、通風方向下流側部分を上記第２領域１２とすることで、熱交換能力の小さい熱交換器においても上記（ａ）、（ｂ）、（ｃ）又は（ｄ）に記載の効果を確実に得ることができ、また伝熱管９を通風方向に複数列に配置したものにおいては、例えば、通風方向上流側の管列に対応する部分を上記第１領域１１とし、通風方向下流側の管列に対応する部分を上記第２領域１２とすることで、熱交換能力の大きい熱交換器においても上記（ａ）、（ｂ）、（ｃ）又は（ｄ）に記載の効果を確実に得ることができ、これらの結果、熱交換器の汎用性が向上することになる。
【発明を実施するための最良の形態】
【００４０】
以下、本願発明を具体的に説明する。
【００４１】
図１には、本願発明に係る熱交換器を備えてなる空気調和機１（室内機）を示しており、同図において、符号２は室内壁面に取付けられるケーシングである。このケーシング２の前面下部と前面上部及び上面には、それぞれ吸込口３Ａ〜３Ｃが設けられるとともに、下面側にはフラップ１４を備えた吹出口４が設けられている。
【００４２】
また、上記ケーシング２の上記各吸込口３Ａ〜３Ｃから上記吹出口４に至る通風路５内には、上記各吸込口３Ａ〜３Ｃのそれぞれに対応するようにして熱交換器６Ａ〜６Ｃが配置されるとともに、該各熱交換器６Ａ〜６Ｃの下流側にはファン７が配置されており、上記ファン７の運転によって、上記各吸込口３Ａ〜３Ｃのそれぞれから上記通風路５内に吸込まれた空気は、白抜矢印で示すように、上記各熱交換器６Ａ〜６Ｃに流入し、該各熱交換器６Ａ〜６Ｃを通過する間に熱交換して温調空気となり、上記吹出口４から室内側へ吹出され、室内の冷房又は暖房を行なう。
【００４３】
ここで、上記空気調和機１に備えられた各熱交換器６Ａ〜６Ｃにおいては、主として上記ファン７との相対的な位置関係から、風速分布が異なる。即ち、上記吸込口３Ａに対向して配置された熱交換器６Ａでは、その上部６Ａａ側に偏位して上記ファン７が配置されていることから、該上部６Ａａ側では風速が大きく、下部６Ａｂ側では風速が小さくなっている。上記吸込口３Ｂ対向して配置された熱交換器６Ｂでは、その下部６Ｂｂ側に偏位して上記ファン７が配置されているものの、その上部６Ｂａ側は上記吸込口３Ｂのほかに上記吸込口３Ｃにも臨んでいることから、風速分布は略平坦となり、上部６Ｂａと下部６Ｂｂの管での風速差は少ない。上記吸込口３Ｃに対して傾斜して配置された熱交換器６Ｃでは、その下部６Ｃｂ側に偏位して上記ファン７が配置されているものの該下部６Ｃｂ側は上記吸込口３Ｃからの吸込み空気が回り込みにくい部位であることから風速が小さく、上部６Ｃａ側は上記吸込口３Ｃと上記ファン７を結ぶ直線上に位置していることから風速が大きくなっている。
【００４４】
従って、係る風速分布に着目すれば、上記空気調和機１が冷房運転される場合における霧の発生は、上記熱交換器６Ａでは、風速の大きい上部６Ａａ側よりも、風速の小さい下部６Ａｂ側で霧が発生し易い。上記熱交換器６Ｂでは、霧の発生し易さは上部６Ｂａ側と下部６Ｂｂ側でさほど差はない。上記熱交換器６Ｃでは、風速の大きい上部６Ｃａ側よりも、風速の小さい下部６Ｃｂ側で霧が発生し易い。
【００４５】
このような温度分布及び風速分布に基づく霧の発生し易さを考慮して、後述のように、上記各熱交換器６Ａ〜６Ｃにおいてはフィンの表面形態が設定される。以下、上記熱交換器を構成するフィン８の実施形態を具体的に説明する。
【００４６】
第１の実施形態
図２には、第１の実施形態に係るフィン８を示している。このフィン８は、縦長矩形の薄板で構成され、その一方の長辺は空気Ａの通風方向上流側に位置する前縁８ａとされ、他方の長辺は通風方向下流側に位置する後縁８ｂとされるとともに、通風方向に前後して二列に伝熱管９が貫通配置されている。
【００４７】
このフィン８においては、これを通風方向に仮想的に二分し、通風方向上流側に位置する（即ち、前列側の伝熱管群に対応する）領域を第１領域１１、通風方向下流側に位置する（即ち、後列側の伝熱管群に対応する）領域を第２領域１２としている。そして、これら両領域のうち、上記第１領域１１の表面を親水性処理面とする一方、上記第２領域１２の表面は無処理面としている。
【００４８】
ここで、上記親水性処理面とは、水の接触角が１０°程度となるように表面処理された面をいう。また、無処理面とは、何等の表面処理もなされず、素材表面をそのまま用いたもので、水の接触角が７０°から８０°程度に設定された面をいう。
【００４９】
このような表面処理形態を採用したフィン８においては、以下のような作用効果が得られる。
【００５０】
即ち、図３に示すように、上記フィン８を、所定間隔をもって順次対向配置しその隣接する一対のフィン８、８間を通風路１０として熱交換器６を構成する。そして、上記熱交換器６が蒸発器として機能する冷房運転時において、上記通風路１０に上記フィン８の前縁８ａ側から高温高湿の空気Ａが流入する場合を想定し、この状態を図３に模式的に示している。
【００５１】
この場合、上記フィン８の通風方向上流側の第１領域１１では、その表面が親水処理面とされドレン水による水膜が薄く熱交換効率が高いことから、該第１領域１１側を流れる空気のうち、上記フィン８に沿ってその近傍を流れる空気Ａ１は該フィン８によって効率的に冷却されて低温の飽和に近い空気とされる。一方、上記通風路１０の中央寄り（即ち、上記フィン８から離れた部位）を流れる空気Ａ２は、上記フィン８による冷却作用が小さいことから比較的高温状態を維持している。従って、これら温度及び湿度の異なる空気が上記通風路１０内で混合することで上記第１領域１１部分において霧Ｆが発生することになる。
【００５２】
一方、上記フィン８の第２領域１２では、その表面が無処理面とされているので水の接触角が大きく、従って、この部分ではドレン水による水膜Ｄが比較的厚くなり、この水膜Ｄがフィン８の表面から通風路１０の内部側へ膨出し、これによって該通風路１０が絞られた状態となる。
【００５３】
この結果、上記フィン８の第１領域１１側において発生し上記第２領域１２側へ流れる霧Ｆは、その流れ方向下流側に存在する上記水膜Ｄに接触して捕集され、上記水膜Ｄにおいて捕集される分だけ、上記第２領域１２側からフィン後方側へ吹出される霧の量が減少する。従って、空気調和機１の吹出口４から室内側への「霧吹き」が可及的に防止され、室内居住者に視覚的な不安感を与えることがなく、延いては空気調和機１の商品価値が向上することになる。
【００５４】
また、上述のように、熱交換器６のフィン８の後方側へ吹出される霧Ｆの量が可及的に減少することで、霧Ｆが吹出口４近傍に設けられたフラップ１４等において結露することが少なくなり、その結果、該吹出口４部分からの「水落ち」や「水飛び」も防止されることになる
さらに、上記第１領域１１を親水性処理面とすることで耐腐食性が向上し、また上記第２領域１２を無処理面とすることでコストダウンが図れ、これらの相乗効果として耐腐食性に優れたフィン８をより安価に提供できる。
【００５５】
ここで、この実施形態のフィン８は、上述のように上記フィン８を通風方向において仮想的に二分して上記第１領域１１と第２領域１２を設定したものであって、上記第１領域１１及び第２領域１２に通風方向における領域幅は、上記フィン８の上部８ｃから下部８ｄに亘って同じとされている。従って、このフィン８では、その上部８ｃから下部８ｄまでの全域において上記効果が同様に得られるものであり、このため、係る構成のフィン８は、図１に示す空気調和機１における熱交換器６Ｂ、即ち、風速分布が上部６Ｂａから下部６Ｂｂに亘って略同等となるような熱交換器に適用するに好適である。
【００５６】
また、上述のように、霧Ｆは、フィン表面温度が低いほど発生し易いので、この霧Ｆの発生状況に対応して上記第１領域１１と第２領域１２の領域分けをすることが最適であるが（これらの構造については第２実施形態以下において説明する）、この実施形態のフィン８ではその上部８ｃから下部８ｄに亘って同じような作用効果を発揮し得ることから、伝熱管９のパス形態がどのようなものであっても上記効果が得られるため、図２においてはパス形態の図示を省略している。
【００５７】
尚、この実施形態のフィン８の形成方法としては、上記第１領域１１に相当する部分を予め表面処理がなされたプレコートフィンで成形し、また上記第２領域１２に相当する部分を無処理の素材フィンで構成し、事後的にこれら両者を接合して上記フィン８とする手法とか、無処理の素材フィンで上記フィン８全体の大きさに形成し、その後、上記第１領域１１に相当する部分のみをディッピング等のアフタコートによって成形する手法が考えられる。
【００５８】
第２の実施形態
図４には、第２の実施形態に係るフィン８を示している（尚、このフィン８が適用される熱交換器６及びこれを備えて構成される空気調和機１の構造は上記第１の実施形態の場合と同様であるので、ここでの図示及び説明は省略する。以下の第３〜第１３の実施形態において同じ）。
【００５９】
この実施形態のフィン８は、霧Ｆの大きな発生要因、即ち、風速分布と温度分布のうち、特にフィン８の温度分布に主眼をおき、該フィン８の領域分けを温度分布に適応して設定した例を示している（以下の第３〜第１３の実施形態において同じ）。
【００６０】
このフィン８では、上記各伝熱管９のパス形態を、同図に矢線で示すように設定している。即ち、前列の最下端の伝熱管９から冷媒を流入させ、これを前列の上段側の各伝熱管９に順次流した後、その最上段の伝熱管９から後列最上段の伝熱管９へ移行させ、さらに該後列最上段の伝熱管９から順次下段側の伝熱管９へ冷媒を流し、最下段の伝熱管９から取り出すように構成している。
【００６１】
このようなパス形態を採用したことで、上記フィン８への冷媒の入口となる前列最下段の伝熱管９の近傍が低温となり、上段側へ移行するにつれて次第に冷媒の過熱域となって温度が高くなる場合がある。これは、前列最下段の伝熱管９の近傍で最も霧Ｆが発生し易く、該伝熱管９から上段側へ移行するに伴って霧Ｆの発生が少なくなることを意味する。これを水膜Ｄによる霧Ｆの捕集の必要性という観点から考えると、後列最下段の伝熱管９の近傍では最も大きな捕集能力が必要で、該伝熱管９から上段側へ移行するに伴って必要とされる捕集能力が減じることである。
【００６２】
以上のことから、この実施形態のフィン８においては、該フィン８の前縁８ａの下端と後縁８ｂの上端を結ぶ直線を仮想し、該直線より通風方向上流側、即ち、前縁８ａ寄り側の領域を第１領域１１、該直線より通風方向下流側、即ち、後縁８ｂ寄り側の領域を第２領域１２とし、上記第１領域１１におけるフィン表面を親水性処理面とし、上記第２領域１２おけるフィン表面を無処理面としている。
【００６３】
このように表面処理形態を設定することで、霧Ｆが発生し易い領域では霧Ｆを捕集する上記第２領域１２の幅を広くし、霧Ｆが発生しにくい領域では上記第２領域１２の幅を狭くするという、霧Ｆの発生量と霧Ｆの捕集量とが対応した設定をもつフィン８が得られることになる。この結果、「霧吹き」防止効果、さらには「水落ち」や「水飛び」防止効果が、より一層確実となる。
【００６４】
尚、上記表面処理形態を風速分布との関係に当てはめると、上記フィン８は、その下部８ｄ側の風速が低く、上部８ｃ側の風速が高いような風速分布をもつ熱交換器６に最適であって、図１の空気調和機１についてみれば、熱交換器６Ａがこれに該当する。
【００６５】
また、この実施形態のフィン８は、上記第１領域１１と第２領域１２の境界は対角上にあるため、その製作に際しては、フィン全体を無処理面の素材フィンで形成した後、上記第１領域１１部分のみをディッピング等のアフタコートによって表面処理することが考えられる。
【００６６】
第３の実施形態
図５には、第３の実施形態に係るフィン８を示している。この実施形態のフィン８も、霧Ｆの大きな発生要因、即ち、風速分布と温度分布のうち、特にフィン８の温度分布に主眼をおき、該フィン８の領域分けを温度分布に適応して設定したものである。
【００６７】
このフィン８では、上記各伝熱管９のパス形態を、同図に矢線で示すように設定している。即ち、前列の最上端の伝熱管９から冷媒を流入させ、これを前列の下段側の各伝熱管９に順次流した後、その最下段の伝熱管９から後列最下段の伝熱管９へ移行させ、さらに該後列最下段の伝熱管９から順次上段側の伝熱管９へ冷媒を流し、最上段の伝熱管９から取り出すように構成している。
【００６８】
このようなパス形態を採用したことで、上記フィン８への冷媒の入口となる前列最上段の伝熱管９の近傍が低温となり、下段側へ移行するにつれて次第に冷媒の過熱域となって温度が高くなる場合がある。これは、前列最上段の伝熱管９の近傍で最も霧Ｆが発生し易く、該伝熱管９から下段側へ移行するに伴って霧Ｆの発生が少なくなることを意味する。これを水膜Ｄによる霧Ｆの捕集の必要性という観点から考えると、後列最上段の伝熱管９の近傍では最も大きな捕集能力が必要で、該伝熱管９から下段側へ移行するに伴って必要とされる捕集能力が減じることである。
【００６９】
以上のことから、この実施形態のフィン８においては、該フィン８の前縁８ａの上端と後縁８ｂの下端を結ぶ直線を仮想し、該直線より通風方向上流側、即ち、前縁８ａ寄り側の領域を第１領域１１、該直線より通風方向下流側、即ち、後縁８ｂ寄り側の領域を第２領域１２とし、上記第１領域１１におけるフィン表面を親水性処理面とし、上記第２領域１２おけるフィン表面を無処理面としている。
【００７０】
このように表面処理形態を設定することで、霧Ｆが発生し易い領域では霧Ｆを捕集する上記第２領域１２の幅を広くし、霧Ｆが発生しにくい領域では上記第２領域１２の幅を狭くするという、霧Ｆの発生量と霧Ｆの捕集量とが対応した設定をもつフィン８が得られることになる。この結果、「霧吹き」防止効果、さらには「水落ち」や「水飛び」防止効果が、より一層確実となる。
【００７１】
尚、上記表面処理形態を風速分布との関係に当てはめると、上記フィン８は、その上部８ｃ側の風速が低く、下部８ｄ側の風速が高いような風速分布をもつ熱交換器６に最適であって、図１の空気調和機１についてみれば、この条件に合致はしないが、強いて言えば、熱交換器６Ｂがこれに該当する。
【００７２】
また、この実施形態のフィン８は、上記第１領域１１と第２領域１２の境界は対角上にあるため、その製作に際しては、フィン全体を無処理面の素材フィンで形成した後、上記第１領域１１部分のみをディッピング等のアフタコートによって表面処理することが考えられる。
【００７３】
第４の実施形態
図６には、第４の実施形態に係るフィン８を示している。この実施形態のフィン８は、上記第２の実施形態のフィン８の変形例として挙げられるものであって、上記第２の実施形態のフィン８の場合よりも、上記第２領域１２の領域幅を少なくしたものである。従って、この実施形態のフィン８は、該フィン８の上部８ｃと下部８ｄの間における温度差が、上記第２の実施形態のフィン８よりも小さいような熱交換器６に適用するに適したものである。
【００７４】
これ以外の作用効果等は、上記第２の実施形態の場合と同様であるので、その説明を省略する。
【００７５】
第５の実施形態
図７には、第５の実施形態に係るフィン８を示している。この実施形態のフィン８は、上記第３の実施形態のフィン８の変形例として挙げられるものであって、上記第３の実施形態のフィン８の場合よりも、上記第２領域１２の領域幅を少なくしたものである。従って、この実施形態のフィン８は、該フィン８の上部８ｃと下部８ｄの間における温度差が、上記第３の実施形態のフィン８よりも小さいような熱交換器６に適用するに適したものである。
【００７６】
これ以外の作用効果等は、上記第３の実施形態の場合と同様であるので、その説明を省略する。
【００７７】
第６の実施形態
図８には、第６の実施形態に係るフィン８を示している。この実施形態のフィン８は、上記第２の実施形態のフィン８と第３の実施形態のフィン８を合体させたような表面処理形態をもつものである。
【００７８】
即ち、この実施形態のフィン８は、独立した二つのパスをもつ２パス形態の熱交換器６に適用されるものであって、一方のパスは、前列の三段目の伝熱管９に冷媒を導入し、これを最上段の伝熱管９に流した後、後列最上段の伝熱管９へ移行させ、さらに後列三段目の伝熱管９から取り出すようにしている。また、他方のパスは、上記一方のパスとは逆に、前列の二段目の伝熱管９に冷媒を導入し、これを最下段の伝熱管９に流した後、後列最下段の伝熱管９へ移行させ、さらに後列二段目の伝熱管９から取り出すようにしている。
【００７９】
このようなパス形態の下では、上記フィン８への冷媒の入口となる前列三段目と二段目の伝熱管９の近傍が低温となり、これから上段側及び下段側へそれぞれ移行するにつれて次第に冷媒の過熱域となり温度が高くなる場合がある。これは、前列三段目と二段目の伝熱管９の近傍で最も霧Ｆが発生し易く、ここから上段側及び下段側へ移行するに伴って霧Ｆの発生が少なくなることを意味する。これを水膜Ｄによる霧Ｆの捕集の必要性という観点から考えると、後列三段目と二段目の伝熱管９の近傍では最も大きな捕集能力が必要で、ここから上段側及び下段側へそれぞれ移行するに伴って必要とされる捕集能力が減じることである。
【００８０】
以上のことから、この実施形態のフィン８においては、該フィン８の後縁８ｂの上端と、前縁８ａと後縁８ｂの中間で且つ上部８ｃと下部８ｄの中間の位置と、後縁８ｂの下端の三位置を結ぶ折曲線を仮想し、該折曲線より通風方向上流側、即ち、前縁８ａ寄り側の領域を第１領域１１、該折曲線より通風方向下流側、即ち、後縁８ｂ寄り側の領域を第２領域１２とし、上記第１領域１１におけるフィン表面を親水性処理面とし、上記第２領域１２おけるフィン表面を無処理面としている。
【００８１】
このように表面処理形態を設定することで、霧Ｆが発生し易い領域では霧Ｆを捕集する上記第２領域１２の幅を広くし、霧Ｆが発生しにくい領域では上記第２領域１２の幅を狭くするという、霧Ｆの発生量と霧Ｆの捕集量とが対応した設定をもつフィン８が得られることになる。この結果、「霧吹き」防止効果、さらには「水落ち」や「水飛び」防止効果が、より一層確実となる。
【００８２】
尚、上記表面処理形態を風速分布との関係に当てはめると、上記フィン８は、その中段部の風速が低く、上部８ｃ及び下部８ｄ側の風速が高いような風速分布をもつ熱交換器６に最適である。
【００８３】
また、この実施形態のフィン８は、上記第１領域１１と第２領域１２の境界が折曲線となっているため、その製作に際しては、フィン全体を無処理面の素材フィンで形成した後、上記第１領域１１部分のみをディッピング等のアフタコートによって表面処理することが考えられる。
【００８４】
第７の実施形態
図９には、第７の実施形態に係るフィン８を示している。このフィン８は、上記第１の実施形態に係るフィン８の変形例として位置付けられるものであって、これと異なる点は、該第１の実施形態のフィン８では、第１領域１１を親水性処理面とし、第２領域１２を無処理面としていたのに対して、この実施形態のフィン８では、第１領域１１を親水性処理面とし、第２領域１２を中間処理面とした点であり、これ以外の構成は全て第１の実施形態のフィン８と同様である。
【００８５】
ここで、上記親水性処理面とは、水の接触角が１０°程度となるように表面処理された面をいう。また、上記中間処理面とは、水の接触角が親水処理面より大きく無処理面と同等またはそれより小さくなるように、例えば、水の接触角が５０°〜８０°程度となるように表面処理された面をいう。
【００８６】
このような表面処理形態を採用したフィン８においては、以下のような作用効果が得られる。
【００８７】
即ち、図３に示すように、上記フィン８を、所定間隔をもって順次対向配置しその隣接する一対のフィン８、８間を通風路１０として熱交換器６を構成し、上記熱交換器６が蒸発器として機能する冷房運転時において、上記通風路１０に上記フィン８の前縁８ａ側から高温高湿の空気Ａが流入する場合を想定する。
【００８８】
この場合、上記フィン８の通風方向上流側の第１領域１１では、その表面が親水処理面とされドレン水による水膜が薄く熱交換効率が高いことから、該第１領域１１側を流れる空気のうち、上記フィン８に沿ってその近傍を流れる空気Ａ１は該フィン８によって効率的に冷却されて低温の飽和に近い空気とされる。一方、上記通風路１０の中央寄り（即ち、上記フィン８から離れた部位）を流れる空気Ａ２は、上記フィン８による冷却作用が小さいことから比較的高温状態を維持している。従って、これら温度及び湿度の異なる空気が上記通風路１０内で混合することで上記第１領域１１部分において霧Ｆが発生することになる。
【００８９】
一方、上記フィン８の第２領域１２では、その表面が中間処理面とされているので水の接触角が大きく、従って、この部分ではドレン水による水膜Ｄが比較的厚くなり、この水膜Ｄがフィン８の表面から通風路１０の内部側へ膨出し、これによって該通風路１０が絞られた状態となる。
【００９０】
この結果、上記フィン８の第１領域１１側において発生し上記第２領域１２側へ流れる霧Ｆは、その流れ方向下流側に存在する上記水膜Ｄに接触して捕集され、上記水膜Ｄにおいて捕集される分だけ、上記第２領域１２側からフィン後方側へ吹出される霧の量が減少する。従って、空気調和機１の吹出口４から室内側への「霧吹き」が可及的に防止され、室内居住者に視覚的な不安感を与えることがなく、延いては空気調和機１の商品価値が向上することになる。
【００９１】
また、上述のように、熱交換器６のフィン８の後方側へ吹出される霧Ｆの量が可及的に減少することで、霧Ｆが吹出口４近傍に設けられたフラップ１４等において結露することが少なくなり、その結果、該吹出口４部分からの「水落ち」や「水飛び」も防止されることになる。
【００９２】
さらに、上記第１領域１１を親水性処理面とし、上記第２領域１２を中間処理面とすることでフィン８の耐腐食性が向上する。
【００９３】
上記以外の構成及び作用効果は上記第１の実施形態の場合と同様であるので、該第１の実施形態の該当説明を援用し、ここでの説明を省略する。
【００９４】
第８の実施形態
図１０には、第８の実施形態に係るフィン８を示している。このフィン８は、上記第２の実施形態に係るフィン８の変形例として位置付けられるものであって、これと異なる点は、フィン８の表面処理形態であり、これ以外の構成は全て第２の実施形態のフィン８と同様である。
【００９５】
即ち、この実施形態のフィン８は、霧Ｆの大きな発生要因、即ち、風速分布と温度分布のうち、特にフィン８の温度分布に主眼をおき、該フィン８の領域分けを温度分布に適応して設定したものであって、上記各伝熱管９のパス形態を、同図に矢線で示すように設定している。即ち、前列の最下端の伝熱管９から冷媒を流入させ、これを前列の上段側の各伝熱管９に順次流した後、その最上段の伝熱管９から後列最上段の伝熱管９へ移行させ、さらに該後列最上段の伝熱管９から順次下段側の伝熱管９へ冷媒を流し、最下段の伝熱管９から取り出すように構成している。
【００９６】
このようなパス形態を採用したことで、上記フィン８への冷媒の入口となる前列最下段の伝熱管９の近傍が低温となり、上段側へ移行するにつれて次第に冷媒の過熱域となり温度が高くなる場合がある。これは、前列最下段の伝熱管９の近傍で最も霧Ｆが発生し易く、該伝熱管９から上段側へ移行するに伴って霧Ｆの発生が少なくなることを意味する。これを水膜Ｄによる霧Ｆの捕集の必要性という観点から考えると、後列最下段の伝熱管９の近傍では最も大きな捕集能力が必要で、該伝熱管９から上段側へ移行するに伴って必要とされる捕集能力が減じることである。
【００９７】
以上のことから、この実施形態のフィン８においては、該フィン８の前縁８ａの下端と後縁８ｂの上端を結ぶ直線を仮想し、該直線より通風方向上流側、即ち、前縁８ａ寄り側の領域を第１領域１１、該直線より通風方向下流側、即ち、後縁８ｂ寄り側の領域を第２領域１２とし、上記第１領域１１におけるフィン表面を親水性処理面とし、上記第２領域１２おけるフィン表面を中間処理面としている。
【００９８】
このように表面処理形態を設定することで、霧Ｆが発生し易い領域では霧Ｆを捕集する上記第２領域１２の幅を広くし、霧Ｆが発生しにくい領域では上記第２領域１２の幅を狭くするという、霧Ｆの発生量と霧Ｆの捕集量とが対応した設定をもつフィン８が得られることになる。この結果、「霧吹き」防止効果、さらには「水落ち」や「水飛び」防止効果が、より一層確実となる。
【００９９】
上記以外の構成及び作用効果は上記第２の実施形態の場合と同様であるので、該第２の実施形態の該当説明を援用し、ここでの説明を省略する。
【０１００】
第９の実施形態
図１１には、第９の実施形態に係るフィン８を示している。このフィン８は、上記第３の実施形態に係るフィン８の変形例として位置付けられるものであって、これと異なる点は、フィン８の表面処理形態であり、これ以外の構成は全て第３の実施形態のフィン８と同様である。
【０１０１】
このフィン８では、上記各伝熱管９のパス形態を、同図に矢線で示すように設定している。即ち、前列の最上端の伝熱管９から冷媒を流入させ、これを前列の下段側の各伝熱管９に順次流した後、その最下段の伝熱管９から後列最下段の伝熱管９へ移行させ、さらに該後列最下段の伝熱管９から順次上段側の伝熱管９へ冷媒を流し、最上段の伝熱管９から取り出すように構成している。
【０１０２】
このようなパス形態を採用したことで、上記フィン８への冷媒の入口となる前列最上段の伝熱管９の近傍が低温となり、下段側へ移行するにつれて次第に冷媒の過熱域となり温度が高くなる場合がある。これは、前列最上段の伝熱管９の近傍で最も霧Ｆが発生し易く、該伝熱管９から下段側へ移行するに伴って霧Ｆの発生が少なくなることを意味する。これを水膜Ｄによる霧Ｆの捕集の必要性という観点から考えると、後列最上段の伝熱管９の近傍では最も大きな捕集能力が必要で、該伝熱管９から下段側へ移行するに伴って必要とされる捕集能力が減じることである。
【０１０３】
以上のことから、この実施形態のフィン８においては、該フィン８の前縁８ａの上端と後縁８ｂの下端を結ぶ直線を仮想し、該直線より通風方向上流側、即ち、前縁８ａ寄り側の領域を第１領域１１、該直線より通風方向下流側、即ち、後縁８ｂ寄り側の領域を第２領域１２とし、上記第１領域１１におけるフィン表面を親水性処理面とし、上記第２領域１２おけるフィン表面を中間処理面としている。
【０１０４】
このように表面処理形態を設定することで、霧Ｆが発生し易い領域では霧Ｆを捕集する上記第２領域１２の幅を広くし、霧Ｆが発生しにくい領域では上記第２領域１２の幅を狭くするという、霧Ｆの発生量と霧Ｆの捕集量とが対応した設定をもつフィン８が得られることになる。この結果、「霧吹き」防止効果、さらには「水落ち」や「水飛び」防止効果が、より一層確実となる。
【０１０５】
第１０の実施形態
図１２には、第１０の実施形態に係るフィン８を示している。このフィン８は、上記第８の実施形態に係るフィン８の変形例として位置付けられるものであって、上記第８の実施形態のフィン８の場合よりも、上記第２領域１２の領域幅を少なくしたものである。従って、この実施形態のフィン８は、該フィン８の上部８ｃと下部８ｄの間における温度差が、上記第８の実施形態のフィン８よりも小さいような熱交換器６に適用するに適したものである。
【０１０６】
これ以外の作用効果等は、上記第８の実施形態の場合と同様であるので、その説明を省略する。
【０１０７】
第１１の実施形態
図１３には、第１１の実施形態に係るフィン８を示している。このフィン８は、上記第９の実施形態のフィン８の変形例として挙げられるものであって、上記第９の実施形態のフィン８の場合よりも、上記第２領域１２の領域幅を少なくしたものである。従って、この実施形態のフィン８は、該フィン８の上部８ｃと下部８ｄの間における温度差が、上記第９の実施形態のフィン８よりも小さいような熱交換器６に適用するに適したものである。
【０１０８】
これ以外の作用効果等は、上記第９の実施形態の場合と同様であるので、その説明を省略する。
【０１０９】
第１２の実施形態
図１４には、第１２の実施形態に係るフィン８を示している。この実施形態のフィン８は、上記第８の実施形態のフィン８と第９の実施形態のフィン８を合体させたような表面処理形態をもつものである。
【０１１０】
即ち、この実施形態のフィン８は、独立した二つのパスをもつ２パス形態の熱交換器６に適用されるものであって、一方のパスは、前列の三段目の伝熱管９に冷媒を導入し、これを最上段の伝熱管９に流した後、後列最上段の伝熱管９へ移行させ、さらに後列三段目の伝熱管９から取り出すようにしている。また、他方のパスは、上記一方のパスとは逆に、前列の二段目の伝熱管９に冷媒を導入し、これを最下段の伝熱管９に流した後、後列最下段の伝熱管９へ移行させ、さらに後列二段目の伝熱管９から取り出すようにしている。
【０１１１】
このようなパス形態の下では、上記フィン８への冷媒の入口となる前列三段目と二段目の伝熱管９の近傍が低温となり、これから上段側及び下段側へそれぞれ移行するにつれて次第に冷媒の過熱域となり温度が高くなる場合がある。これは、前列三段目と二段目の伝熱管９の近傍で最も霧Ｆが発生し易く、ここから上段側及び下段側へ移行するに伴って霧Ｆの発生が少なくなることを意味する。これを水膜Ｄによる霧Ｆの捕集の必要性という観点から考えると、後列三段目と二段目の伝熱管９の近傍では最も大きな捕集能力が必要で、ここから上段側及び下段側へそれぞれ移行するに伴って必要とされる捕集能力が減じることである。
【０１１２】
以上のことから、この実施形態のフィン８においては、該フィン８の後縁８ｂの上端と、前縁８ａと後縁８ｂの中間で且つ上部８ｃと下部８ｄの中間の位置と、後縁８ｂの下端の三位置を結ぶ折曲線を仮想し、該折曲線より通風方向上流側、即ち、前縁８ａ寄り側の領域を第１領域１１、該折曲線より通風方向下流側、即ち、後縁８ｂ寄り側の領域を第２領域１２とし、上記第１領域１１におけるフィン表面を親水性処理面とし、上記第２領域１２おけるフィン表面を中間処理面としている。
【０１１３】
このように表面処理形態を設定することで、霧Ｆが発生し易い領域では霧Ｆを捕集する上記第２領域１２の幅を広くし、霧Ｆが発生しにくい領域では上記第２領域１２の幅を狭くするという、霧Ｆの発生量と霧Ｆの捕集量とが対応した設定をもつフィン８が得られることになる。この結果、「霧吹き」防止効果、さらには「水落ち」や「水飛び」防止効果が、より一層確実となる。
【０１１４】
第１３の実施形態
図１５には、第１３の実施形態に係るフィン８を示している。この実施形態のフィン８は、上記各実施形態のフィン８とは異なって、伝熱管９が一列に配置された構成をもつものであって、係る一列配置のものにおいて、上記第９の実施形態に係るフィン８の場合と同様に、該フィン８を通風方向に仮想的に二分し、通風方向上流側に位置する領域を第１領域１１、通風方向下流側に位置する領域を第２領域１２とするとともに、上記第１領域１１の表面を親水性処理面とし、上記第２領域１２の表面を中間処理面としている。
【０１１５】
係る表面処理形態を採用することで、熱交換能力の小さい熱交換器６においても、上記各実施形態のような熱交換能力の大きい２列配置の熱交換器６の場合と同様の作用効果を得ることができ、延いては熱交換器の汎用性の拡大に寄与し得るものである。
【０１１６】
尚、ここでは上記第２領域１２を中間処理面としたが、これに代えて、該第２領域１２を無処理面とすることもできるものである。
【図面の簡単な説明】
【０１１７】
【図１】本願発明に係る熱交換器を備えた空気調和機の縦断面図である。
【図２】図１の熱交換器に備えられたフィンの第１の実施形態を示す側面図である。
【図３】図２に示したフィン構造による作用説明図である。
【図４】図１の熱交換器に備えられたフィンの第１の実施形態を示す側面図である。
【図５】図１の熱交換器に備えられたフィンの第２の実施形態を示す側面図である。
【図６】図１の熱交換器に備えられたフィンの第３の実施形態を示す側面図である。
【図７】図１の熱交換器に備えられたフィンの第４の実施形態を示す側面図である。
【図８】図１の熱交換器に備えられたフィンの第５の実施形態を示す側面図である。
【図９】図１の熱交換器に備えられたフィンの第６の実施形態を示す側面図である。
【図１０】図１の熱交換器に備えられたフィンの第７の実施形態を示す側面図である。
【図１１】図１の熱交換器に備えられたフィンの第８の実施形態を示す側面図である。
【図１２】図１の熱交換器に備えられたフィンの第９の実施形態を示す側面図である。
【図１３】図１の熱交換器に備えられたフィンの第１０の実施形態を示す側面図である。
【図１４】図１の熱交換器に備えられたフィンの第１１の実施形態を示す側面図である。
【図１５】図１の熱交換器に備えられたフィンの第１２の実施形態を示す側面図である。
【図１６】従来一般的な熱交換器における霧の発生状況の説明図である。
【符号の説明】
【０１１８】
１      ・・空気調和機
２      ・・ケーシング
３      ・・吸込口
４      ・・吹出口
５      ・・通風路
６      ・・熱交換器
７      ・・ファン
８      ・・フィン
９      ・・伝熱管
１０    ・・通風路
１１    ・・第１領域
１２    ・・第２領域
１３    ・・ドレーン受
１４    ・・フラップ
Ｆ      ・・霧
Ｄ      ・・水膜
【図１】
2008241184.tif 000003
【図２】
2008241184.tif 000004
【図３】
2008241184.tif 000005
【図４】
2008241184.tif 000006
【図５】
2008241184.tif 000007
【図６】
2008241184.tif 000008
【図７】
2008241184.tif 000009
【図８】
2008241184.tif 000010
【図９】
2008241184.tif 000011
【図１０】
2008241184.tif 000012
【図１１】
2008241184.tif 000013
【図１２】
2008241184.tif 000014
【図１３】
2008241184.tif 000015
【図１４】
2008241184.tif 000016
【図１５】
2008241184.tif 000017
【図１６】
2008241184.tif 000018